(57)【特許請求の範囲】
【請求項１】
熱交換器および送風機を有し、下面に開口が設けられた室内機本体と、前記室内機本体の開口の周縁部を覆う化粧パネルと、前記化粧パネルにより形成された前記室内機本体の開口を開放自在に覆い、当該開口と連通する吸込口が設けられた吸込パネルとを有する空気調和機の室内機において、
前記化粧パネルから前記室内機本体の開口側に水平に突出する突起片と、
前記吸込パネルの裏面の前記突起片に対向する位置に当該突起片に対し前後に摺動自在に設けられ、前記化粧パネルの前記突起片に案内されて当該突起片に係止される係止部材と、
前記係止部材の摺動方向に直交する両端に設けられ、互いに反対方向に直角に延びる一対の板ばねと、
前記吸込パネルに設けられ、前記一対の板ばねのそれぞれの両端面を異なる位置で狭持する少なくとも２つのばね支持部と
を備え、
前記一対の板ばねのそれぞれは、前記係止部材が前記突起片により退行方向に摺動した際に、それぞれ前記２つのばね支持部を支点として、前記係止部材を前記突起片側に付勢する空気調和機の室内機。
【請求項２】
前記係止部材は、当該係止部材を退行方向に摺動させて前記突起片との係止を解除する操作部と、前記操作部に設けられた指掛け突起部とを備えている請求項１記載の空気調和機の室内機。
【請求項３】
前記吸込パネルは、四辺形に形成され、そのうちの一辺が前記化粧パネルに設けられた支持軸に回動自在に支持され、
前記係止部材は、前記吸込パネルの前記支持軸により支持された一辺の反対側の辺に設けられている請求項１又は２記載の空気調和機の室内機。
【請求項４】
前記吸込パネルは、四辺形に形成され、そのうちの一辺が前記化粧パネルに設けられた支持軸に回動自在に支持され、
前記係止部材は、前記吸込パネルの前記支持軸により支持された一辺に直角に延びる両端の辺にそれぞれ設けられている請求項１又は２記載の空気調和機の室内機。
【請求項５】
前記係止部材は、前記突起片に対向する先端部から当該係止部材の後端部側に向かって傾斜する傾斜面を有する案内部が設けられ、
前記化粧パネルの前記突起片は、先端部に前記案内部の傾斜面に平行な傾斜面が設けられている請求項１〜４の何れか１項に記載の空気調和機の室内機。
【発明の詳細な説明】
【技術分野】
【０００１】
本発明は、天井裏に設置される天井埋込型の室内機に係わり、特に室内機の下面の開口を開閉する吸込パネルを備えた空気調和機の室内機に関するものである。
【背景技術】
【０００２】
従来、天井埋込型の室内機においては、化粧パネルに吸込パネルを開閉自在あるいは脱着自在に取り付けるものが知られている。この化粧パネルの意匠性を損ねないために、吸込パネルの端部に係止部材を設け、この係止部材を手動で動かすことにより化粧パネルに係止させることが一般的である。また、開閉あるいは脱着作業を省人化するためにスライド機構にバネ機構を設ける、さらには部品点数を削減するために、係止部材と板ばねを同一構成としているものがある（例えば、特許文献１参照）。
【先行技術文献】
【特許文献】
【０００３】
【特許文献１】特開２００９−２９９９９９号公報
【発明の概要】
【発明が解決しようとする課題】
【０００４】
一般的な化粧パネルは、樹脂材で構成されている。また、特許文献１においても、係止部材と板ばねとは樹脂材によって成型されている。この樹脂材では、金型成型時の熱応力、流動性等のばらつきにより、成型された部品自体のばらつき、樹脂部品のばらつきの要因により、化粧パネル組立時に構成部品間でのガタ付が懸念される。また、板ばねの機能を発揮する際に板ばねの支点部に加わる応力により耐久性についても懸念される。【０００５】
本発明は、前述のような課題を解決するためになされたもので、成型ばらつきによる組立時のガタ付を軽減、また、板ばねの機能を発揮する際の支点を増やし加わる応力を分散させ耐久性を向上させることができる空気調和機の室内機を得ることを目的とする。
【課題を解決するための手段】
【０００６】
本発明に係る空気調和機の室内機は、熱交換器および送風機を有し、下面に開口が設けられた室内機本体と、室内機本体の開口の周縁部を覆う化粧パネルと、化粧パネルにより形成された室内機本体の開口を開放自在に覆い、開口と連通する吸込口が設けられた吸込パネルとを有する空気調和機の室内機において、化粧パネルから室内機本体の開口側に水平に突出する突起片と、吸込パネルの裏面の突起片に対向する位置に突起片に対し前後に摺動自在に設けられ、化粧パネルの突起片に案内されて突起片に係止される係止部材と、係止部材の摺動方向に直交する両端に設けられ、互いに反対方向に直角に延びる一対の板ばねと、吸込パネルに設けられ、一対の板ばねのそれぞれの両端面を異なる位置で狭持する少なくとも２つのばね支持部とを備え、一対の板ばねのそれぞれは、係止部材が突起片により退行方向に摺動した際に、それぞれ２つのばね支持部を支点として、係止部材を突起片側に付勢する。
【発明の効果】
【０００７】
本発明によれば、係止部材の摺動方向に直交する両端に設けられ、互いに反対方向に直角に延びる板ばねと、吸込パネルに設けられ、板ばねの両端面を異なる位置で狭持する少なくとも２つのばね支持部とを備えている。このように、少なくとも２つのばね支持部により、板ばねを支持するようにしているので、板ばねの機能を発揮する際に加わる荷重を分散することができる。このため、板ばねとしての耐久性を向上させることができる。【０００８】
また、ばね支持部を対面方向に配置することにより、板ばねの形状ばらつきを矯正した状態で装着ができ、板ばねのガタ付を吸収することができる。
【図面の簡単な説明】
【０００９】
【図１】本発明の実施の形態に係る空気調和機の室内機を下方から見て示す斜視図である。
【図２】図１の室内機の内部を模式的に示す横断面図である。
【図３】図１の吸込グリルを開いた状態を示す斜視図である。
【図４】図３に示す係止部材の拡大斜視図である。
【図５】図４に示す係止部材を吸込グリルに配置した状態の平面図である。
【図６】図５に示す係止部材が吸込グリルに摺動自在に支持された状態の平面図である。
【図７】図６の係止部材を退行させた状態を示す平面図である。
【図８】図３の吸込グリルを化粧パネルの近くまで持ち上げたときの係止部材と化粧パネルとの位置関係を示す断面図である。
【図９】図８の吸込グリルを閉じる寸前の係止部材と化粧パネルとの位置関係を示す断面図である。
【図１０】図９の吸込グリルを閉じたときの係止部材と化粧パネルの係止状態を示す断面図である。
【図１１】図１０の係止部材を退行させたときの係止部材と化粧パネルとの位置関係を示す断面図である。
【図１２】実施の形態における係止部材の変形例を示す断面図である。
【図１３】実施の形態における係止部材の設置位置の変形例を示す室内機の吸込グリルを示す斜視図である。
【発明を実施するための形態】
【００１０】
図１は本発明の実施の形態に係る空気調和機の室内機を下方から見て示す斜視図、図２は図１の室内機の内部を模式的に示す横断面図、図３は図１の吸込グリルを開いた状態を示す斜視図である。
図１〜図３において、空気調和機の室内機１００は、熱交換器１１及び送風機１２が収容され、下面に開口が設けられた室内機本体１０と、室内機本体１０の開口の周縁部を覆う化粧パネル１３と、化粧パネル１３により形成された室内機本体１０の開口を開放自在に覆う吸込パネル１４とを備えている。この室内機１００は、化粧パネル１３及び吸込パネル１４が天井板２００から露出し、天井板２００の内側に室内機本体１０が設置される天井埋込型である。室内機１００は、図示せぬ室外機に冷媒配管を介して接続される。
【００１１】
室内機本体１０は、下面が開口された直方体形状の板金によって形成されている。吸込パネル１４は、室内機本体１０の長手方向に沿って四辺形である長方形状に形成され、短手方向の両端にそれぞれ複数のグリルによって長く形成された吸込口１５、１６が設けられている。この吸込パネル１４は、樹脂成型により形成されている。化粧パネル１３は、室内機本体１０に固定されている。室内機本体１０の吸込口１５側の化粧パネル１３には、吹出口１７が設けられている。この吹出口１７には、空気の吹き出し方向を可変する風向ベーン１７ａが取り付けられている。
【００１２】
吸込パネル１４の吸込口１６側の一辺は、室内機本体１０に取り付けられた支持軸２０によって回動自在に支持されている。吸込パネル１４は、その支持軸２０によって、室内機本体１０の開口を開いたり閉じたりすることができる。また、吸込パネル１４の吸込口１５側の一辺には、室内機本体１０の開口を吸込パネル１４で閉じた際に、その吸込パネル１４の閉塞状態を保持する一対の係止部材３０が取り付けられている。
【００１３】
吸込パネル１４を開閉できるようにしているのは、後述するエアーフィルタ１８ａ、１８ｂの交換、室内機本体１０内の清掃作業を行えるようにするためである。前述のエアーフィルタ１８ａ、１８ｂは、吸込口１５、１６の裏面に取り外し自在に取り付けられ、吸込口１５、１６から室内機本体１０内に流入する空気に含まれる塵埃を回収する。
【００１４】
送風機１２は、吹出口１７と連通する風路１９内に配置された例えばターボファンと、このターボファンの軸心方向の片側に設置されたモーター（図示せず）とを備えている。熱交換器１１は、送風機１２と吸込口１５、１６との間にそれぞれ配置され、Ｖ字状に設置されている。
【００１５】
前記のように構成された室内機１００においては、送風機１２が駆動すると、室内の空気は、吸込パネル１４の吸込口１５、１６から吸引され、エアーフィルタ１８ａ、１８ｂをそれぞれ通過して室内機本体１０の内部に流入する。室内機本体１０の内部に流入した空気は、さらに送風機１２によって熱交換器１１側に吸引され、熱交換器１１に流れる冷媒と熱交換される。そして、熱交換された空気は、風路１９内へ送り込まれ、吹出口１７から室内へ吹き出される。
【００１６】
次に、前述した係止部材３０の構成について、図４〜図７を用いて説明する。
図４は図３に示す係止部材の拡大斜視図、図５は図４に示す係止部材を吸込グリルに配置した状態の平面図、図６は図５に示す係止部材が吸込グリルに摺動自在に支持された状態の平面図、図７は図６の係止部材を退行させた状態を示す平面図である。
【００１７】
係止部材３０には、図４に示すように、樹脂成型により板状に形成された板ばね３１が取り付けられている。係止部材３０は、係止部３２、案内部３３、取付溝３４、操作部３５、案内部３３の間に設けられた一対のスライド部３６、及び一対のスライド部３６とで形成された長穴３７により構成されている。
【００１８】
係止部３２は、係止部材３０の案内部３３よりも先端部から下方に突出する突起からなっている。案内部３３は、係止部材３０の両端上面のうち取付溝３４側の位置から上方に突出している。この案内部３３は、後述する突起片１３ａ（図８参照）に対向する先端部から係止部材３０の後端部側に向かって傾斜する傾斜面が設けられている。取付溝３４には、それぞれ板ばね３１が嵌め込まれている。この板ばね３１は、係止部材３０の摺動方向に直交する両端から互いに反対方向に直角に延びている。操作部３５は、係止部材３０の後部に下方へ延びて形成されている。スライド部３６は、係止部材３０の前後に延びる板状に形成され、後述する段付ネジ４２がワッシャ４３を介して載置される。長穴３７は、係止部材３０の前後方向に長く形成され、段付ネジ４２が挿入される。
【００１９】
前述の係止部材３０は、図５に示すように、吸込パネル１４の吸込口１５側であって、その吸込口１５の端部に位置するグリル１５ａから吸込口１５の内側に延びる支持台４０に設置される。この支持台４０には、前述した段付ネジ４２がねじ込まれるネジ孔４１が設けられている。前述のように係止部材３０を支持台４０に設置した後、ワッシャ４３が挿入された段付ネジ４２をネジ孔４１にねじ込んで、係止部材３０を長穴３７の長手方向に摺動自在に支持する。
【００２０】
また、係止部材３０の両端の板ばね３１は、吸込口１５を形成する複数本のグリルのうち端部側の２本のグリル１５ａ、１５ｄに、それぞれ設けられた主リブ１５ｂと補助リブ１５ｃとの間に挟み込まれた状態で保持されている。主リブ１５ｂと補助リブ１５ｃは、グリル１５ａ、１５ｄに一体に成型されたばね支持部であって、板ばね３１の両端面を異なる位置で狭持している。図６に示す係止部材３０において、操作部３５の手動操作によって、係止部材３０を図７に示す実線矢印の方向（退行方向）に移動させた場合、各板ばね３１は、それぞれ主リブ１５ｂと補助リブ１５ｃを支点として退行方向に弾性力に抗して撓む。この状態において、操作部３５から手を離した場合、係止部材３０は、各板ばね３１の弾性力により点線矢印の方向（進行方向）に付勢され、図６に示す状態に戻る。
【００２１】
このように、各板ばね３１を２点で狭持しているため、板ばね３１の成型時に発生しうる進行方向、退行方向への変形、ばらつきを矯正することができる。また、主リブ１５ｂ及び補助リブ１５ｃの２点を支点にすることにより、板ばね３１の弾性力により発生する各支点への反力を分散するこができる。また、進行方向に発生する板ばね３１の弾性力は、係止部材３０から主リブ１５ｂ及び補助リブ１５ｃまでの距離で調整でき、その距離を離すことにより板ばね３１の弾性力を弱めることができる。
【００２２】
次に、吸込グリルの開閉時の係止部材の機能について、図８〜図１１を用いて説明する。
図８は図３の吸込グリルを化粧パネルの近くまで持ち上げたときの係止部材と化粧パネルとの位置関係を示す断面図、図９は図８の吸込グリルを閉じる寸前の係止部材と化粧パネルとの位置関係を示す断面図、図１０は図９の吸込グリルを閉じたときの係止部材と化粧パネルの係止状態を示す断面図、図１１は図１０の係止部材を退行させたときの係止部材と化粧パネルとの位置関係を示す断面図である。
【００２３】
なお、化粧パネル１３の係止部材３０と対向する位置の側壁１３ｃに、室内機本体１０の開口側に水平に突出する突起片１３ａが設けられている。この突起片１３ａは、係止部材３０の幅と同じ長さを有し、先端に係止部材３０の案内部３３の傾斜面３３ａに平行な傾斜面１３ｂが形成されている。この化粧パネル１３側に突起片１３ａを設けることにより、使用者が操作する吸込パネル１４側に突出部位をなくすことができ、安全性を確保することができる。
【００２４】
図８に示すように、吸込パネル１４を化粧パネル１３の近くまで持ち上げると、係止部材３０が化粧パネル１３の突起片１３ａの下方に位置する。吸込パネル１４を更に持ち上げていくと、図９に示すように、係止部材３０の案内部３３の傾斜面３３ａが突起片１３ａの傾斜面１３ｂに接触する。案内部３３の傾斜面３３ａが突起片１３ａの傾斜面１３ｂに接触した状態で、係止部材３０を持ち上げると、係止部材３０は、案内部３３が突起片１３ａの傾斜面１３ｂに案内される。この時、係止部材３０は、スライド部３６を介して段付ネジ４２のワッシャ４３と支持台４０との間を実線矢印の方向へ退行する。
【００２５】
この場合、係止部材３０の両端に設けられた板ばね３１は、それぞれ主リブ１５ｂ及び補助リブ１５ｃを支点として退行方向に弾性力に抗して撓む。この状態において、吸込パネル１４を化粧パネル１３内に押し込んだときに、係止部材３０は、図１０に示すように、各板ばね３１の弾性力により点線矢印の方向へ進行し、係止部材３０の係止部３２が化粧パネル１３の突起片１３ａに係止される。この係止部材３０の係止により、吸込パネル１４は室内機本体１０の開口を閉じる。
【００２６】
一方、室内機本体１０の開口を閉じている吸込パネル１４を開ける場合は、図１１に示すように、係止部材３０の操作部３５を実線矢印の方向へ手動により引くことで、係止部材３０の係止部３２が化粧パネル１３の突起片１３ａから離れ係止状態が解除される。この解除により、吸込パネル１４は、支持軸２０を支点として室内機本体１０の開口を開く。
【００２７】
以上のように本実施の形態によれば、吸込パネル１４に成型された主リブ１５ｂと補助リブ１５ｃを支点にすることにより、板ばね３１の機能を発揮する際に加わる荷重を分散することができる。このため、樹脂材料で成型された板ばね３１としての耐久性を向上させることができる。
【００２８】
吸込パネル１４に成型された主リブ１５ｂと補助リブ１５ｃとを対面方向に配置することにより、板ばね３１の形状ばらつきを矯正した状態で装着ができ、板ばね３１のガタ付を吸収することができる。
【００２９】
化粧パネル１３側に突起片１３ａを設けることにより、使用者が操作する吸込パネル１４側に突出部位をなくすことができ、安全性を確保することができる。
【００３０】
係止部材３０の案内部３３に傾斜面３３ａを設け、化粧パネル１３より突出した突起片１３ａの先端に傾斜面３３ａに平行な傾斜面１３ｂを設けているので、吸込パネル１４に設置された係止部材３０の位置が多少ずれても、案内部３３の傾斜により 所定の位置に導くことができる。
【００３１】
なお、実施の形態では、係止部材３０の操作部３５の面を平らとしているが、図１２に示すように、操作部３５の下端部を係止部３２側へ突出させるようにしても良い。その図１２は実施の形態における係止部材の変形例を示す断面図である。
前述したように、係止部材３０の操作部３５には、操作部３５の下端部から係止部３２側へ突出する指掛け突起部３５ａが設けられている。この指掛け突起部３５ａにより、操作部３５を退行方向に動かす際に、指を引っ掛けやすくなり操作性を確保することができる。
【００３２】
また、実施の形態では、吸込パネル１４の吸込口１５側であって、吸込口１５の短手方向の外側端部に係止部材３０を設けたが、その係止部材３０を図１３に示す位置に設置しても良い。その図１３は実施の形態における係止部材の設置位置の変形例を示す室内機の吸込グリルを示す斜視図である。
つまり、吸込パネル１４の吸込口１５側であって、吸込口１５の長手方向の両端部にそれぞれ係止部材３０を設けるようにしても良い。この係止部材３０の設置位置は、化粧パネル１３のサイズ、操作性を考慮して決定することができる。
【符号の説明】
【００３３】
１０  室内機本体、１１  熱交換器、１２  送風機、１３  化粧パネル、１３ａ  突起片、１３ｂ  傾斜面、１３ｃ  側壁、１４  吸込パネル、１５  吸込口、１５ａ  グリル、１５ｂ  主リブ、１５ｃ  補助リブ、１５ｄ  グリル、１６  吸込口、１７  吹出口、１７ａ  風向ベーン、１８ａ、１８ｂ  エアーフィルタ、１９  風路、２０  支持軸、３０  係止部材、３１  板ばね、３２  係止部、３３  案内部、３３ａ  傾斜面、３４  取付溝、３５  操作部、３５ａ  指掛け突起部、３６  スライド部、３７  長穴、４０  支持台、４１  ネジ孔、４２  段付ネジ、４３  ワッシャ、１００  室内機、２００  天井板。
【図１】
0006735847.tif 000002
【図２】
0006735847.tif 000003
【図３】
0006735847.tif 000004
【図４】
0006735847.tif 000005
【図５】
0006735847.tif 000006
【図６】
0006735847.tif 000007
【図７】
0006735847.tif 000008
【図８】
0006735847.tif 000009
【図９】
0006735847.tif 000010
【図１０】
0006735847.tif 000011
【図１１】
0006735847.tif 000012
【図１２】
0006735847.tif 000013
【図１３】
0006735847.tif 000014